(57)【要約】      （修正有）【課題】物品への振動や衝撃を緩和し、破損を防止する包装材を提供する。【解決手段】外箱１０と、物品を梱包して外箱に収容する梱包材２０とからなる包装材であって、梱包材は第一面板部２２を備え、第一面板部は相対向する第一端部と、第一端部と直交する方向に相対向する第二端部２４とを備え、第一端部に第一折曲部２５を介して第二面板部２９を備え、第一折曲部は、第二端部の一方の第二端部側から他方の第二端部側に至る、仮想線を含んで第一面板部側へ凸となる湾曲形状であって、第一折曲部の折り曲げに伴って第一面板部から切り起されて第二面板部と面一となり第一面板部から突出する第一突板部２８を備える。【選択図】図９
0003233434.tif 000002
【実用新案登録請求の範囲】
【請求項１】
外箱と、物品を梱包して前記外箱に収容する梱包材と、からなる包装材であって、前記梱包材は第一面板部を備え、当該第一面板部は相対向する第一端部と、当該第一端部と直交する方向に相対向する第二端部とを備え、前記第一端部に第一折曲部を介して第二面板部を備え、前記第一折曲部は、前記第二端部の一方の第二端部側から他方の第二端部側に至る、仮想線を含んで前記第一面板部側へ凸となる湾曲形状であって、前記第一折曲部の折り曲げに伴って前記第一面板部から切り起されて前記第二面板部と面一となり前記第一面板部から突出する第一突板部を備えることを特徴とする、包装材。
【請求項２】
前記第一突板部は、前記第一折曲部を始端部及び終端部として前記第一面板部を切り込んで形成することを特徴とする、請求項１に記載する包装材。
【請求項３】
前記第二面板部を前記第一面板部に対して前記第一折曲部で折り曲げて相対向させ、前記第一面板部と前記第二面板部とで囲まれた空間に前記物品を配置することを特徴とする、請求項１又は請求項２に記載する包装材。
【請求項４】
前記第二面板部は、前記第一端部と相対向する側に第三端部と、当該第三端部と直交する方向に相対向する第四端部とを備え、前記第三端部に、第二折曲部を介して第三面板部を備え、前記第二折曲部は、前記第四端部の一方の第四端部側から他方の第四端部側に至る、仮想線を含んで前記第三面板部側へ凸となる湾曲形状であって、前記第二折曲部の折り曲げに伴って前記第三面板部から切り起されて前記第二面板部と面一となり前記第三面板部から突出する第二突板部を備えることを特徴とする、請求項１から請求項３のいずれか一項に記載する包装材。
【請求項５】
前記第二突板部は、前記第二折曲部を始端部及び終端部として前記第三面板部を切り込んで形成することを特徴とする、請求項４に記載する包装材。
【請求項６】
前記第二面板部を前記第一面板部に対して前記第一折曲部で折り曲げて相対向させ、前記第三面板部を前記第二面板部に対して前記第二折曲部で折り曲げて前記第一面板部と相対向させ、前記第一面板部と前記第二面板部と前記第三面板部とで囲まれた空間に前記物品を配置することを特徴とする、請求項４又は請求項５に記載する包装材。
【請求項７】
前記梱包材は可撓性を有する押さえシートを備え、前記梱包材と前記押さえシートとで前記物品を保持することを特徴とする、請求項１から請求項６のいずれか一項に記載する包装材。
【請求項８】
少なくとも前記第一面板部に前記押さえシートを備え、
前記第一面板部は、前記第二端部に折曲部を介して第四面板部を備え、少なくとも当該第四面板部に前記押さえシートとの固定部を備え、前記第四面板部を、前記物品を保持する面とは反対側へ折り曲げて前記第一面板部と前記押さえシートとで前記物品を保持することを特徴とする、請求項７に記載する包装材。
【考案の詳細な説明】
【技術分野】
【０００１】  本考案は、物品への振動や衝撃を緩和し、破損を防止する包装材に関する。
【背景技術】
【０００２】  従来から、例えば瓶等の壊れやすい物品の運搬に使用する包装材では、破損を防止するために様々な提案がなされている。例えば、ワイン等が入った瓶を箱に詰めて輸送する場合において、箱内に装着される緩衝体を４つの側壁からなる筒状に形成し、この側端に箱側壁内面に当接する突片を設けたものとし、この緩衝体に瓶を収容するものが知られている。このような緩衝構造によって箱側壁と緩衝体側壁との間に緩衝用空間を得て、輸送、運搬中の衝撃、外圧から瓶を保護する。（特許文献１参照。）。
【先行技術文献】
【特許文献】
【特許文献１】実開第Ｈ０６−７６０３７号公報
【０００３】  しかしながら、特許文献１に記載する包装材では、箱を通じて外部から加わる衝撃により突片が折れ曲がって緩衝用空間を保持することができず、内容物の保護が不十分となる場合がある。
【考案の概要】
【考案が解決しようとする課題】
【０００４】  本考案は、上記問題を解決すべくなされたものである。本考案の目的は、物品への振動や衝撃を緩和する包装材の提供である。さらには、物品の移動を規制して破損を防止する包装材の提供である。さらには、収容する物品のサイズや形状に柔軟に対応できる包装材の提供である。
【課題を解決するための手段】
【０００５】  本考案の解決しようとする課題は以上の如くであり、次にこの課題を解決するための手段を説明する。【０００６】  第１の考案では、外箱と、物品を梱包して前記外箱に収容する梱包材と、からなる包装材であって、前記梱包材は第一面板部を備え、当該第一面板部は相対向する第一端部と、当該第一端部と直交する方向に相対向する第二端部とを備え、前記第一端部に第一折曲部を介して第二面板部を備え、前記第一折曲部は、前記第二端部の一方の第二端部側から他方の第二端部側に至る、仮想線を含んで前記第一面板部側へ凸となる湾曲形状であって、前記第一折曲部の折り曲げに伴って前記第一面板部から切り起されて前記第二面板部と面一となり前記第一面板部から突出する第一突板部を備えることを特徴とする包装材である。【０００７】  第２の考案では、第１の考案であって、前記第一突板部は、前記第一折曲部を始端部及び終端部として前記第一面板部を切り込んで形成することを特徴とする包装材である。【０００８】  第３の考案では、第１又は第２の考案であって、前記第二面板部を前記第一面板部に対して前記第一折曲部で折り曲げて相対向させ、前記第一面板部と前記第二面板部とで囲まれた空間に前記物品を配置することを特徴とする包装材である。【０００９】  第４の考案では、第１から第３のいずれかの考案であって、前記第二面板部は、前記第一端部と相対向する側に第三端部と、当該第三端部と直交する方向に相対向する第四端部とを備え、前記第三端部に、第二折曲部を介して第三面板部を備え、前記第二折曲部は、前記第四端部の一方の第四端部側から他方の第四端部側に至る、仮想線を含んで前記第三面板部側へ凸となる湾曲形状であって、前記第二折曲部の折り曲げに伴って前記第三面板部から切り起されて前記第二面板部と面一となり前記第三面板部から突出する第二突板部を備えることを特徴とする包装材である。【００１０】  第５の考案では、第４の考案であって、前記第二突板部は、前記第二折曲部を始端部及び終端部として前記第三面板部を切り込んで形成することを特徴とする包装材である。【００１１】  第６の考案では、第４又は第５の考案であって、前記第二面板部を前記第一面板部に対して前記第一折曲部で折り曲げて相対向させ、前記第三面板部を前記第二面板部に対して前記第二折曲部で折り曲げて前記第一面板部と相対向させ、前記第一面板部と前記第二面板部と前記第三面板部とで囲まれた空間に前記物品を配置することを特徴とする包装材である。【００１２】  第７の考案では、第１から第６のいずれかの考案であって、前記梱包材は可撓性を有する押さえシートを備え、前記梱包材と前記押さえシートとで前記物品を保持することを特徴とする包装材である。【００１３】  第８の考案では、第７の考案であって、少なくとも前記第一面板部に前記押さえシートを備え、前記第一面板部は、前記第二端部に折曲部を介して第四面板部を備え、少なくとも当該第四面板部に前記押さえシートとの固定部を備え、前記第四面板部を、前記物品を保持する面とは反対側へ折り曲げて前記第一面板部と前記押さえシートとで前記物品を保持することを特徴とする包装材である。
【考案の効果】
【００１４】  本考案の効果として、以下に示すような効果を奏する。【００１５】  第１の考案によれば、第一折曲部は第一面板部側へ凸となる湾曲形状であり、第一折曲部を折り曲げると第二面板部は第一面板部側へ凸となる湾曲形状となる。このため、梱包材を外箱に収容すると、第二面板部は第四端部側の部分と外箱内面とが接触し、第二面板部の他の部分は外箱内面とは非接触となり、緩衝空間を設けることができる。また、第一面板部から突出する第一突板部を備えるため、第一突板部と外箱内面とが接触し、第一面板部と外箱内面とは非接触となる緩衝空間を設けることができ、物品への振動や衝撃を緩和することができる。【００１６】  第２の考案によれば、第１の考案の効果に加えて、第一突板部は、第一折曲部を始端部及び終端部として第一面板部を切り込んで形成する。このため、第一突板部は第二面板部の湾曲と面一に湾曲し、衝撃に対する座屈強度が高まる。【００１７】  第３の考案によれば、第１又は第２の考案の効果に加えて、第二面板部を第一面板部に対して第一折曲部で折り曲げて相対向させ、第一面板部と第二面板部とで囲まれた空間に物品を配置するため、第一面板部と外箱内面との間、及び第二面板部と外箱内面との間に緩衝空間を設けることができ、物品への振動や衝撃を緩和することができる。【００１８】  第４の考案によれば、第１から第３のいずれかの考案の効果に加えて、第二折曲部は第三面板部側へ凸となる湾曲形状であり、第二折曲部を折り曲げると第二面板部は第一面板部側へ凸となる湾曲形状となる。このため、梱包材を外箱に収容すると、第二面板部は第四端部側と外箱内面とが接触し、他の部分は外箱内面とは非接触となる緩衝空間を設けることができ、物品への振動や衝撃を緩和することができる。また、第三面板部から突出する第二突板部を備えるため、梱包材を外箱に収容すると、第二突板部と外箱内面とが接触し、第三面板部と外箱内面とは非接触となる緩衝空間を設けることができ、物品への振動や衝撃を緩和することができる。【００１９】  第５の考案によれば、第４の考案の効果に加えて、第二突板部は、第二折曲部を始端部及び終端部として第三面板部を切り込んで形成している。このため、第二突板部は第二面板部の湾曲と面一に湾曲し、衝撃に対する座屈強度が高まる。【００２０】  第６の考案によれば、第４又は第５の考案の効果に加えて、第二面板部を前記第一面板部に対して前記第一折曲部で折り曲げて相対向させ、第三面板部を第二面板部に対して前記第二折曲部で折り曲げて第一面板部と相対向させ、第一面板部と第二面板部と第三面板部とで囲まれた空間に前記物品を配置するため、第一面板部と外箱内面との間、及び第二面板部と外箱内面との間、第三面板部と外箱内面との間に緩衝空間を設けることができ、物品への振動や衝撃を緩和することができる。【００２１】  第７の考案によれば、第１から第６のいずれかの考案の効果に加えて、梱包材は押さえシートを備え、梱包材と押さえシートとの間に物品を収容して保持するため物品の移動を規制して、破損を防止する効果が高まる。【００２２】  第８の考案によれば、第７の考案の効果に加えて、第四面板部を、物品を保持する面とは反対側へ折り曲げて第一面板部と可撓性を有する押さえシートとの間に物品を収容して保持することを特徴とするため、折り曲げにより押さえシートに張力が生じ、保持する物品の種々の大きさや形状に柔軟に対応して保持することができる。
【図面の簡単な説明】
【００２３】
【図１】本実施形態の外箱１０の展開体１１を示す平面図。
【図２】本実施形態の外箱１０の組み立て状態を示す斜視簡略図。
【図３】本実施形態の梱包材２０の展開体２１を示す平面図。
【図４】本実施形態の梱包材２０の梱包組み立て途中を示す斜視簡略図。
【図５】本実施形態の梱包材２０の梱包組み立て途中を示す斜視簡略図。
【図６】本実施形態の梱包材２０の梱包組み立て途中を示す斜視簡略図。
【図７】本実施形態の梱包材２０の梱包組み立て途中を示す斜視簡略図。
【図８】本実施形態の外箱１０に梱包材２０を収容した状態を外箱の側板１２ｄ側から見た図（側板１２ｄを切り欠き梱包材２０を露出状態として示している）。
【図９】本実施形態の外箱１０に梱包材２０を収容した状態を外箱の側板１２ａ側から見た図（側板１２ａを切り欠き梱包材２０を露出状態として示している）。
【図１０】本実施形態の外箱１０に梱包材２０を収容した状態を外箱の側板１２ｃ側から見た図（側板１２ｃを切り欠き梱包材２０を露出状態として示している）。
【図１１】他の実施形態の一例を示す斜視簡略図。
【考案を実施するための形態】
【００２４】  次に、本考案の実施形態である包装材１について説明する。
包装材１は、ワイン瓶を収容する。
【００２５】  包装材１は、外箱１０と梱包材２０とからなる。ワイン瓶は梱包材２０に収容梱包して外箱１０に収容する。
【００２６】  包装材１は、図３に示す梱包材２０の展開体２１を図４から図７に示すように組み立ててワイン瓶を梱包した状態で、図２に示す外箱１０に収容する。
【００２７】  まず、外箱１０について説明する。
外箱１０は、図１に示す展開体１１を折り曲げ組み立てれば、図２に示す完成状態となる。
図１に従って外箱１０を構成する部分を説明する。展開体１１は、外箱１０の内側となる面を紙面手前側として示している。また、破線は折曲部を示している。
【００２８】  本実施形態において、展開体１１は段ボールで形成されるが、これに限定されず板紙等のシート材でもよい。
展開体１１は、折曲部を介して側板１２ａ、１２ｂ、１２ｃ、１２ｄ、および貼着板１２ｅを左右方向に連続して備えている。これらは外箱１０の胴部を形成する。また、側板１２ａ、１２ｂ、１２ｃ、１２ｄの下端には、それぞれ折曲部を介して底板１３ａ、１３ｂ、１３ｃ、１３ｄを備えている。底板１３ａ、１３ｃには、それぞれ折り畳み用の折曲部を備えている。これらは外箱１０の底部を形成する。側板１２ｂ、１２ｄの上端には、それぞれ折曲部を介して内蓋板１４ａ、１４ｂを備えている。また、側板１２ａの上端には、折曲部を介して外蓋板１５を備えている。外蓋板１５の上端には、折曲部を介して差込板１６を備えている。外蓋板１５と差込板１６との間の折曲部の左右端には、それぞれ切込部１７を備えている。
【００２９】  次に、展開体１１の組み立てについて説明する。
まず、側板１２ａ、１２ｂ、１２ｃ、１２ｄと、底板１３ａ、１３ｂ、１３ｃ、１３ｄとの間の折曲部をそれぞれ谷折りして、側板１２ａ、１２ｂ、１２ｃ、１２ｄと、底板１３ａ、１３ｂ、１３ｃ、１３ｄとをそれぞれ重ね合わせる。次に、底板１３ａ、１３ｃの折曲部を折り返し、底板１３ａ同士、側板１３ｃ同士をそれぞれ重ね合わせる。そして、側板１２ａと１２ｂとの間の折曲部を谷折りし、さらに、側板１２ｃと１２ｄとの間の折曲部を谷折りして、側板１２ａと１２ｂ、及び側板１２ｃと１２ｄをそれぞれ重ね合わせ、貼着板１２ｅと側板１２ｄの側端とを接着剤等で固定する。また、底板１３ａの折り返した部分と底板１３ｂ、及び底板１３ｃの折り返した部分と底板１３ｄとをそれぞれ接着剤等で固定する。これにより、外箱１０は半完成状態となる。この状態でストックされ、使用時に完全に組み立てられる。
組み立てを完成させるには、側板１２ａと１２ｂとの間の折曲部付近と側板１２ｃと１２ｄとの間の折曲部付近とを近づけるように押圧すれば、側板１２ａと１２ｂの間の距離、及び側板１２ｃと１２ｄの間の距離が離れ、折り重なっている底板１３ａ、１３ｃが展開して、図２に示すように筒状の胴部と底部が形成される。この状態で後述するワイン瓶を収容梱包した梱包材２０を収容し、内蓋板１４ａ、１４ｂを胴部内側へアングル状に折り曲げ、外蓋板１５を胴部内側へアングル状に折り曲げて内蓋板１４ａ、１４ｂの上に重ね、外蓋板１５と差込板１６の間の折曲部を折り曲げて、差込板１６を内蓋板１４ａ、１４ｂの端縁と側板１２ｃの内側との間に差し込んで、内蓋板１４ａ、１４ｂの端縁と切込部１７とを係止すれば、閉鎖状態となる。
【００３０】  次に、梱包材２０について説明する。梱包材２０は、図３に示す展開体２１を折り曲げて組み立てれば、図７に示す完成状態となる。
梱包材２０は、展開体２１と、内側に可撓性を有する合成樹脂製の押さえシート１００を備えており、展開体２１と押さえシート１００とでワイン瓶を保持する。
【００３１】  図３に従って展開体２１を構成する部分及び押さえシート１００について説明する。展開体２１は、梱包材２０の内側となる面を紙面手前側として示している。また、破線は折曲部を示している。また、一点鎖線は仮想線を示している。
【００３２】  本実施形態において、展開体２１は段ボールで形成されるが、これに限定されず板紙等のシート材でもよい。
展開体２１は、左右方向に、第三面板部３６、第二面板部２９、第一面板部２２、第二面板部２９、第三面板部３６を連続して備えている。また、第一面板部２２の上下端には、第四面板部３９を備えている。第二面板部２９の上下端には、第五面板部４１を備えている。第三面板部３６の上下端には、第六面板部４３を備えている。第五面板部４１には、第三突板部４２を切り込み形成している。
【００３３】  第一面板部２２は、相対向する左右端部に第一端部２３と、第一端部２３に直交する方向で相対向する上下端部に第二端部２４とを備えている。
また、第一端部２３には第一折曲部２５を介して第二面板部２９を備えている。
第一折曲部２５は仮想線Ｘを含んで第一面板部２２側に凸となる湾曲形状である。仮想線Ｘは、第一折曲部２５の途切れた部分の上側の端部２５ａと下側の端部２５ｂを繋いで、第二端部２４の上側の端部側から第二端部２４の下側の端部側に至る湾曲形状を形成する仮想線である。
また、第一折曲部２５の途切れた部分の上側の端部２５ａを始端部２６とし、下側の端部２５ｂを終端部２７として第一面板部２２を略コの字形状に切り込んで第一突板部２８を上側と下側の２か所に形成している。さらに、略コの字形状の外側を切り込んで打抜部を形成している。
【００３４】  第二面板部２９は、第一端部２３と相対向する側に第三端部３０と、第三端部３０に直交する方向で相対向する上下端部に第四端部３１とを備えている。
第三端部３０には第二折曲部３２を介して第三面板部３６を備えている。第二折曲部３２は仮想線Ｘを含んで第三面板部３６側に凸となる湾曲形状である。仮想線Ｘは、第二折曲部３２の途切れた部分の上側の端部３２ａと下側の端部３２ｂを繋いで、第四端部３１の上側の端部側から第四端部３１の下側の端部側に至る湾曲形状を形成する仮想線である。
また、第二折曲部３２の途切れた部分の上側の端部３２ａを始端部３３とし、下側の端部３２ｂを終端部３４として第三面板部３６を略コの字形状に切り込んで第二突板部３５を上側と下側の２か所に形成している。さらに、略コの字形状の外側を切り込んで打抜部を形成している。
【００３５】  第三面板部３６は、第三端部３０と相対向する側に第五端部３７と、第五端部３７に直交する方向で相対向する上下端部に第六端部３８とを備えている。
【００３６】  また、第一面板部２２の第二端部２４には、折曲部を介して第四面板部３９を備えている。第一折曲部２５と、第一面板部２２と第四面板部３９との間の折曲部とが接する位置には、打抜き穴４０を形成している。
【００３７】  また、第二面板部２９の第四端部３１には、折曲部を介して第五面板部４１を備えている。第二折曲部３２と、第二面板部２９と第五面板部４１との間の折曲部とが接する位置には、打抜き穴４０を形成している。
第四面板部３９と第五面板部４１との間には、打抜き穴４０を始端部として外端に至る折曲部を形成しており、この折曲部は、第一折曲部２５の打抜き穴４０から端部２５ａに至る部分とは第一面板部２２と第四面板部３９との間の折曲部及び第二面板部２９と第五面板部４１との折曲部を介して対称となる形状となっている。また、第四面板３９、第五面板部４１には、後述する押さえシート１００を固定する固定部３９ａを備えている。
また、第五面板部４１を切り込んで第三突板部４２を形成している。第三突板部４２は、第四端部３１からやや外端側に折曲部を備えている。
【００３８】  また、第六端部３８は折曲部を介して第六面板部４３を備えている。
第五面板部４１と第六面板部４３との間には、打抜き穴４０を始端部として外端に至る折曲部を形成している。この折曲部は、第二折曲部３２の打抜き穴４０から端部３２ａに至る部分とは、第二面板部２９と第五面板部４１との間の折曲部、及び第三面板部３６と第六面板部４３の間の折曲部を介して対称となる形状となっている。
【００３９】  また、第一面板部２２、第二面板部２９、第四面板部３９及び第五面板部４１の内面上には、可撓性を有する合成樹脂製の押さえシート１００を重ね、接着剤を用いて固定部３９ａに部分的に固定している。固定部３９ａ以外は非固着である。
【００４０】  次に、梱包材２０へのワイン瓶の収容梱包について説明する。
まず、図４に示すように、梱包材２０の第四面板部３９、第五面板部４１、第六面板部４３を第一面板部２２、第二面板部２９、第三面板部３６に対して折り曲げて起立させる。すると、固着部３９ａで固着した押さえシート１００は端部が互いに近づき、押さえシート１００には弛みが生じ、第一面板部２２、第二面板部２９と押さえシート１００との間の空間が大きくなる。この空間にワイン瓶を収容する。
そして、図５に示すように、第四面板部３９、第五面板部４１、第六面板部４３を、ワイン瓶を収容した面（内面）とは反対側（外面側）に折り曲げて、第一面板部２２、第二面板部２９、第三面板部３６の外面と重ねる。このとき、第五面板部４１を切り込んで形成した第三突板部４２は、第四端部３１から突出する。
この状態において弛んでいた押さえシート１００は張力を生じ、可撓性をもってワイン瓶の形状に沿って第一面板部２２にワイン瓶を押さえつけて保持する。
【００４１】  そして、図６に示すように、第二面板部２９を第一面板部２２に対して第一折曲部２５で折り曲げて相対向させる。このとき、第一折曲部２５は仮想線Ｘを含んで第一面板部２２側へ凸となる湾曲形状であるため、第二面板部２９は第一面板部２２側へ凸となる湾曲形状となる。
また、このとき第一面板部２２は、外面側に凸となる湾曲形状となる。
また、第一面板部２２に対する第二面板部２９の折り曲げに伴って第一面板部２２から第一突板部２８が切り起され、第二面板部２９と面一となって、第一面板部２２から突出する。なお、第一突板部２８は、この状態において第一面板部２２の湾曲形状の最も外側に凸となる部分よりも長い距離をもって突出するように設定している。また、この状態において、第一突出部２８の端部２８ａは収容する外箱１０の内面に沿う直線形状に形成している。また、第一突板部２８は第一折曲部２５の端部２５ａを始端部２６とし、端部２５ｂを終端部２７として第一面板部２２を略コの字形状に切り込んで形成しており、第一突板部２８は第二面板部２９の湾曲と面一となり、衝撃に対する座屈強度を高めている。
【００４２】  さらに、第三面板部３６を前記第二面板部２９に対して前記第二折曲部３２で折り曲げて第一面板部２２と相対向させる。このとき、第二折曲部３２は第三面板部３６側へ凸となる湾曲形状であるため、第三面板部３６を折り曲げると第二面板部２９は第一面板部２２側へ凸となる湾曲形状となる。また、第三面板部３６は、外面側に凸となる湾曲形状となる。
また、第二面板部２９に対する第三面板部３６の折り曲げに伴って第三面板部３６から第二突板部３５が切り起され、第二面板部２９と面一となって、第三面板部３６から突出する。なお、第二突板部３５は、この状態において第三面板部３６の湾曲した形状の最も外側へ凸となる部分よりも長い距離をもって突出するように設定している。また、この状態において、第二突出部３５の端部３５ａは収容する外箱１０の内面に沿う直線形状に形成している。また、第二突板部３５は、第二折曲部３２の端部３２ａを始端部３３とし、端部３２ｂを終端部３４として第三面板部３６を略コの字形状に切り込んで形成しており、第二突板部３５は第二面板部２９の湾曲と面一となり、衝撃に対する座屈強度を高めている。
そして、図７に示すように、第三面板部３６を折り曲げ端部３７同士が突き当たった状態で、テープ等で固定する。このようにしてワイン瓶を第一面板部２２の内面と押さえシート１００とで保持し、第一面板部２２と第二面板部２９と第三面板部３６とで囲まれた空間に収容し、第三突板部４２の折曲部を内側にアングル状に折り曲げた状態として梱包を完成させる。
【００４３】  ワイン瓶を収容梱包した梱包材２０は外箱１０に収容する。
本実施形態においては、外箱１０の側板１２ａの内面と梱包材２０の第一面板部２２の外面が対面し、外箱１０の側板１２ｂ、１２ｄの内面と梱包材２０の第二面板部２９の外面が対面し、外箱１０の側板１２ｃの内面と梱包材２０の第三面板部３６の外面が対面している。
【００４４】  ワイン瓶を収容梱包した梱包材２０を外箱１０に収容した状態について説明する。
まず、図８を用いて梱包材２０の第一面板部２２と外箱１０の側板部１２ａとの間の緩衝空間Ｋ１、及び第三面板部３６と外箱１０の側板部１２ｃとの間の緩衝空間Ｋ２について説明する。図８は、本実施形態の外箱１０に梱包材２０を収容した状態を外箱の側板１２ｄ側から見た図であり、側板１２ｄを切り欠き梱包材２０を露出状態として示している。
この状態において、梱包材２０の第一面板部２２と外箱１０の側板部１２ａとが対面しており、第三面板部３６と外箱１０の側板部１２ｃとが対面している。
第一折曲部２５は第一面板部２２側に凸となる湾曲形状であるため、第一折曲部２５を折り曲げた状態では第一面板部２２が外面側（外箱１０の側板部１２ａ側）へ凸となって湾曲する。この折り曲げに伴って第二面板部２９から面一に突出する第一突板部２８の端部２８ａが外箱１０の側板部１２ａの内面と突き当たり、梱包材２０の第一面板部２２と外箱１０の側板部１２ａとの間には緩衝空間Ｋ１が形成される。
また、第二折曲部３２は第三面板部３６側に凸となる湾曲形状であるため、第二折曲部３５を折り曲げた状態では第三面板部３６は外面側（外箱１０の側板部１２ｃ側）へ凸となって湾曲する。この折り曲げに伴って第二面板部２９から面一に突出する第二突板部３５の端部３５ａが外箱１０の側板部１２ｃの内面と突き当たり、梱包材２０の第三面板部３６と外箱１０の側板部１２ｃとの間には緩衝空間Ｋ２が形成される。
【００４５】  次に、図９、図１０を用いて第二面板部２９と外箱１０の側板部１２ｂ、１２ｄの内面の間の緩衝空間Ｋ３について説明する。
図９は、本実施形態の外箱１０に梱包材２０を収容した状態を外箱の側板１２ａ側から見た図であって、側板１２ａを切り欠き梱包材２０を露出状態として示している。
図１０は、本実施形態の外箱１０に梱包材２０を収容した状態を外箱の側板１２ｃ側から見た図であって、側板１２ｃを切り欠き梱包材２０を露出状態として示している。
この状態において、梱包材２０の第二面板部２９と外箱１０の側板部１２ｂ、１２ｄとが対面している。
第一折曲部２５は第一面板部２２側に凸となる湾曲形状であり、第二折曲部３２は第三面板部３６側へ凸となる湾曲形状であるため、第二面板部２９は内面側（外箱１０の側板部１２ｂ、１２ｄとは反対側）へ凸となって湾曲し、第四端部３１付近、第三突板部４２が外箱１０の側板部１２ｂ、１２ｄの内面と突き当たり、第二面板部２９と外箱１０の側板部１２ｂ、１２ｄの内面の間には緩衝空間Ｋ３が形成される。
【００４６】  また、図８、図９、図１０に示すように、梱包材２０の第二端部２４，第四端部３１、第六端部３８と外箱１０の蓋部（内蓋板１５、外蓋板１６）との間、及び梱包材２０の第二端部２４、第四端部３１、第六端部３８と外箱１０の底部（底板１３ａ、底板１３ｂ、底板１３ｃ、底板１３ｄ）との間には、緩衝空間Ｋ４を形成している。
第三突板部４２は、第四端部３１からやや外端側に折曲部を備えており、先端部がアングル状に内側に折り曲げられているため、第三突板部４２の先端部が外箱１０の蓋部（内蓋板１５、外蓋板１６）、底部（底板１３ａ、底板１３ｂ、底板１３ｃ、底板１３ｄ）に突き当たり、梱包材２０の第二端部２４、第四端部３１、第六端部３８と外箱１０の蓋部（内蓋板１５、外蓋板１６）との間、及び梱包材２０の第二端部２４，第四端部３１、第六端部３８と外箱１０の底部（底板１３ａ、底板１３ｂ、底板１３ｃ、底板１３ｄ）との間に緩衝空間Ｋ４が形成される。
【００４７】  このように、包装材１は、梱包材２０の第一面板２２と押さえシート１００とでワイン瓶を保持してワイン瓶の移動を規制し、梱包材２０を組み立て梱包して外箱１０に収容して、外箱１０の側部と梱包材２０との間に緩衝空間Ｋ１、Ｋ２、Ｋ３を設け、さらに外箱１０の蓋部及び底部と梱包材２０との間に緩衝空間Ｋ４を設けて、ワイン瓶への振動や衝撃を緩和している。
【００４８】  このように、本実施形態の包装材１は、外箱１０と、ワイン瓶を収容梱包して外箱１０に収容する梱包材２０と、からなる包装材であって、梱包材２０は第一面板部２２を備え、この第一面板部２２は相対向する第一端部２３と、この第一端部２３と直交する方向に相対向する第二端部２４とを備え、第一端部２３に第一折曲部２５を介して第二面板部２９を備え、第一折曲部２５は、第二端部２４の一方の第二端部２４側から他方の第二端部２４側に至る、仮想線Ｘを含んで第一面板部２２側へ凸となる湾曲形状であって、第一折曲部２５の折り曲げに伴って第一面板部２２から切り起されて第二面板部２９と面一となり第一面板部２２から突出する第一突板部２８を備える。
【００４９】  第一折曲部２５は第一面板部２２側へ凸となる湾曲形状であり、第二面板部２９を折り曲げると第二面板部２９は第一面板部２２側へ凸となる湾曲形状となる。このため、梱包材２０を外箱１０に収容すると、第二面板部２９は第四端部３１側の部分と外箱１０の内面とが接触し、第二面板部２９の他の部分は外箱２０の内面とは非接触となり、緩衝空間Ｋ３を設けることができる。また、第一面板部２２から突出する第一突板部２８を備えるため、第一突板部２８の端部２８ａと外箱１０の内面とが接触し、第一面板部２２と外箱２０の内面とは非接触となり、緩衝空間Ｋ１を設けることができる。
【００５０】  また、第一突板部２８は、第一折曲部２５を始端部２６及び終端部２７として第一面板部２２を切り込んで形成する。
【００５１】  このため、第一突板部２８は第二面板部２９の湾曲と面一に湾曲し、衝撃に対する座屈強度が高まる。
【００５２】  また、第二面板部２９を第一面板部２２に対して第一折曲部２５で折り曲げて相対向させ、第一面板部２２と第二面板部２９とで囲まれた空間にワイン瓶を配置する。
【００５３】  このため、第一面板部２２と外箱１０の内面との間に緩衝空間Ｋ１を、第二面板部２９と外箱１０の内面との間に緩衝空間Ｋ３を設けて、ワイン瓶への振動や衝撃を緩和することができる。
【００５４】  また、第二面板部２９は、第一端部２３と相対向する側に第三端部３０と、この第三端部と直交する方向に相対向する第四端部３１とを備え、第三端部３０に、第二折曲部３２を介して第三面板部３６を備え、第二折曲部３２は、第四端部３１の一方の第四端部３１側から他方の第四端部３１側に至る、仮想線Ｘを含んで第三面板部３６側へ凸となる湾曲形状であって、第二面板部２９に対する第三面板部３６の折り曲げに伴って第三面板部３６から切り起されて第二面板部２９と面一となり第三面板部３６から突出する第二突板部３５を備える。
【００５５】  第二折曲部３２は、第三面板部３６側へ凸となる湾曲形状であり、第三面板部３６を折り曲げると第二面板部２９は第一面板部２２側へ凸となる湾曲形状となる。このため、梱包材２０を外箱１０に収容すると、第二面板部２９は第四端部３１側と外箱１０の内面とが接触し、他の部分は外箱１０の内面とは非接触となり、緩衝空間Ｋ３を設けることができる。また、第三面板部３６から突出する第二突板部３５を備えるため、第二突板部３５の端部３５ａと外箱１０の内面とが接触し、第三面板部３６と外箱１０の内面とは非接触となり、緩衝空間Ｋ２を設けて、ワイン瓶への振動や衝撃を緩和することができる。
【００５６】  また、第二突板部３５は、第二折曲部３２を始端部３３及び終端部３４として第三面板部３６を切り込んで形成する。
【００５７】  このため、第二突板部３５は第二面板部２９の湾曲と面一に湾曲し、衝撃に対する座屈強度が高まる。
【００５８】  また、第二面板部２９を第一面板部２２に対して第一折曲部２５で折り曲げて相対向させ、第三面板部３６を第二面板部２９に対して第二折曲部３２で折り曲げて第一面板部２２と相対向させ、第一面板部２２と第二面板部２９と第三面板部３６とで囲まれた空間にワイン瓶を配置する。
【００５９】  このため、第一面板部２２と外箱１０の内面との間に緩衝空間Ｋ１を、第二面板部２９と外箱１０の内面との間に緩衝空間Ｋ３を、第三面板部３６と外箱１０の内面との間に緩衝空間Ｋ２を設けることができ、物品への振動や衝撃を緩和することができる。
ることができる。
【００６０】  また、梱包材２０は可撓性を有する押さえシート１００を備え、梱包材２０と押さえシート１００とでワイン瓶を保持する。
【００６１】  このため、ワイン瓶の移動を規制して、破損を防止する効果が高まる。
【００６２】  また、第一面板部２２は第二端部２４に折曲部を介して第四面板部３９を備え、第一面板部２２、第二面板部２９、第四面板部３９、第五面板部４１の内面上に押さえシート１００を備え、この第四面板部３９と第五面板部４１に押さえシート１００との固定部３９ａを備え、第四面板部３９、第五面板部４１、第六面板部４３を、ワイン瓶を保持する面とは反対側へ折り曲げて第一面板部２２と押さえシート１００とでワイン瓶を保持する。
【００６３】  このため、折り曲げにより押さえシートに張力が生じ、ワイン瓶に限定されず、保持する物品の種々の大きさや形状に柔軟に対応して保持することができる。
【００６４】  以上、実施態様について説明したが、本考案はこの実施態様に限定されるものではない。例えば、図１１に示すように、第三面板部を設けなくとも本考案の効果を発揮することができる。また、突板部は一つの折曲部に複数設けてもよく、また、一つのみ設けてもよい。外箱は梱包材を収容することができるものであれば、形状、構造、サイズを問わない。
【００６５】  本考案の技術的範囲は、本明細書及び図面に記載した事項から明らかになる考案が真に意図する技術的思想の範囲全体に、広く及ぶものである。
【符号の説明】
【００６６】１      包装材
１０    外箱
１１    展開体
１２ａ・１２ｂ・１２ｃ・１２ｄ  側板
１２ｅ  貼着板
１３ａ・１３ｂ・１３ｃ・１３ｄ  底板
１４ａ・１４ｂ  内蓋板
１５    外蓋板
１６    差込板
１７    切込部
２０    梱包材
２１    展開体
２２    第一面板部
２３    第一端部
２４    第二端部
２５    第一折曲部
２５ａ・２５ｂ  端部
２６  始端部
２７    終端部
２８    第一突板部
２８ａ  端部
２９    第二面板部
３０    第三端部
３１    第四端部
３２    第二折曲部
３２ａ・３２ｂ  端部
３３    始端部
３４    終端部
３５    第二突板部
３５ａ  端部
３６    第三面板部
３７    第五端部
３８    第六端部
３９    第四面板部
３９ａ  固定部
４０    打抜き穴
４１    第五面板部
４２    第三突板部
４３    第六面板部
１００  押さえシート
Ｘ      仮想線
Ｋ１、Ｋ２、Ｋ３、Ｋ４  緩衝空間
【図１】
0003233434.tif 000003
【図２】
0003233434.tif 000004
【図３】
0003233434.tif 000005
【図４】
0003233434.tif 000006
【図５】
0003233434.tif 000007
【図６】
0003233434.tif 000008
【図７】
0003233434.tif 000009
【図８】
0003233434.tif 000010
【図９】
0003233434.tif 000011
【図１０】
0003233434.tif 000012
【図１１】
0003233434.tif 000013